(57)【要約】【課題】気泡のマッサージ効果を確実に発揮することができる入浴剤収納容器を提供する。【解決手段】入浴剤収納容器１は、シリコーンゴムにより形成され、入浴者３０が着座可能な着座部２と、着座部２の後部に一体形成され、後方に開口する開口部４から内部空間５に発泡性入浴剤１０を収納可能な収納部３と、を備えてなる。入浴者３０は、開口部４から内部空間５に発泡性入浴剤１０を収納した入浴剤収納容器１を浴槽２０の底部２０ａに載置し、入浴者３０の背中３０ｂの上部が側壁部２０ｂに接触するようにもたれかかり、着座部２に入浴者３０の臀部３０ａが接触するように着座すると、内部空間５において発泡性入浴剤１０が溶解して無数の気泡１１が発生し、気泡１１が後方に開口した開口部４から浴湯２１中において上方に向けて放出され、気泡１１が着座部２に着座した入浴者３０の背中３０ｂに繰り返し衝接する。【選択図】図６
0003202565.tif 000002
【実用新案登録請求の範囲】
【請求項１】
シリコーンゴムにより形成され、入浴者が着座可能な着座部と、
前記着座部の後部に一体形成され、後方に開口する開口部から内部空間に発泡性入浴剤を収納可能な収納部と、を備えてなる入浴剤収納容器。
【請求項２】
前記着座部の表面は、平坦面をなしている請求項１に記載の入浴剤収納容器。
【請求項３】
前記着座部の端部は、丸められたＲ形状をなしている請求項１又は２に記載の入浴剤収納容器。
【請求項４】
前記収納部は、前記着座部の表面よりも上方に突出してなる請求項１〜３の何れか１項に記載の入浴剤収納容器。
【請求項５】
前記収納部は、直方体形状をなしている請求項４に記載の入浴剤収納容器。
【請求項６】
前記収納部の角部は、丸められたＲ形状をなしている請求項５に記載の入浴剤収納容器。
【請求項７】
前記開口部は、矩形状をなしている請求項１〜６の何れか１項に記載の入浴剤収納容器。
【請求項８】
前記内部空間は、直方体形状をなしている請求項７に記載の入浴剤収納容器。
【請求項９】
前記着座部及び前記収納部は、直圧成形により一体形成されてなる請求項１〜８の何れか１項に記載の入浴剤収納容器。
【請求項１０】
前記開口部の内周側に突出する突出部をさらに有してなる請求項１〜９の何れか１項に記載の入浴剤収納容器。
【考案の詳細な説明】
【技術分野】
【０００１】
本考案は、入浴剤を収納する入浴剤収納容器に関する。
【背景技術】
【０００２】
従来の入浴剤は、浴湯に芳香や色調を付与してリラックス感や爽快感を得たり、薬効成分により温浴効果を高めて血行を促進したり、新陳代謝を活発にしたり、疲労を回復したりするものである。このような入浴剤には、炭酸ナトリウム、炭酸水素ナトリウム（重曹）等の無機塩類に、香料、色素、保湿剤、植物エキス等を配合し、さらに、コハク酸、フマル酸、クエン酸、マレイン酸等の有機酸類を配合することによって、浴湯中で溶解して炭酸ガスの気泡が発生する発泡性入浴剤が知られている（特許文献１参照）。この種の発泡性入浴剤は、例えば、錠剤等の固形剤からなるものであって、浴湯中に投入されると浴槽の底部に沈下した任意の位置において溶解して気泡を発生させるものであり、気泡が入浴者の体に繰り返し衝接する気泡のマッサージ効果（ジャグジー効果）によって、血行を促進したり、リラックス感や爽快感を得ることができるものである。
【先行技術文献】
【特許文献】
【０００３】
【特許文献１】特開昭５９−７０６０９号公報
【考案の概要】
【考案が解決しようとする課題】
【０００４】
しかしながら、前記従来の発泡性入浴剤は、浴湯中に投入されると浴槽の底部に沈下した任意の位置において溶解して気泡が発生するものであるから、発泡性入浴剤が入浴者の体から離間した場所において溶解して気泡が発生する場合には、気泡のマッサージ効果を十分に発揮することができなかった。
【０００５】
本考案は、上述の事情に鑑みて、気泡のマッサージ効果を確実に発揮することができる入浴剤収納容器を提供することを目的としている。
【課題を解決するための手段】
【０００６】
上記目的を達成するための手段を図面の参照符号を付して示せば、請求項１の考案に係る入浴剤収納容器１は、シリコーンゴムにより形成され、入浴者３０が着座可能な着座部２と、着座部２の後部に一体形成され、後方に開口する開口部４から内部空間５に発泡性入浴剤１０を収納可能な収納部３と、を備えてなることを特徴としている。
【０００７】
請求項２の考案は、上記請求項１に記載の入浴剤収納容器１において、着座部２の表面は、平坦面をなしていることを特徴としている。
【０００８】
請求項３の考案は、上記請求項１又は２に記載の入浴剤収納容器１において、着座部２の端部は、丸められたＲ形状をなしていることを特徴としている。
【０００９】
請求項４の考案は、上記請求項１〜３の何れか１項に記載の入浴剤収納容器１において、収納部３は、着座部２の表面よりも上方に突出してなることを特徴としている。
【００１０】
請求項５の考案は、上記請求項４に記載の入浴剤収納容器１において、収納部３は、直方体形状をなしていることを特徴としている。
【００１１】
請求項６の考案は、上記請求項５に記載の入浴剤収納容器１において、収納部３の角部は、丸められたＲ形状をなしていることを特徴としている。
【００１２】
請求項７の考案は、上記請求項１〜６の何れか１項に記載の入浴剤収納容器１において、開口部４は、矩形状をなしていることを特徴としている。
【００１３】
請求項８の考案は、上記請求項７に記載の入浴剤収納容器１において、内部空間５は、直方体形状をなしていることを特徴としている。
【００１４】
請求項９の考案は、上記請求項１〜８の何れか１項に記載の入浴剤収納容器１において、着座部２及び収納部３は、直圧成形により一体形成されてなることを特徴としている。
【００１５】
請求項１０の考案は、上記請求項１〜９の何れか１項に記載の入浴剤収納容器１において、開口部４の内周側に突出する突出部６をさらに有してなることを特徴としている。
【考案の効果】
【００１６】
以下に、本考案の効果について、図面の参照符号を付して説明する。まず、請求項１の考案に係る入浴剤収納容器１は、入浴者３０が着座可能な着座部２と、後方に開口する開口部４から内部空間５に発泡性入浴剤１０を収納可能な収納部３と、を備えてなる。請求項１の考案に係る入浴剤収納容器１では、まず、浴槽２０に浴湯２１を供給して貯留し、収納部３に設けられた開口部４から内部空間５に発泡性入浴剤１０を収納する。次に、入浴者３０は、入浴剤収納容器１を把持しながら浴槽２０に入槽し、入浴者３０の体を浴湯２１中に浸漬する。次に、入浴者３０は、入浴剤収納容器１を浴槽２０の底部２０ａに載置すると同時に、入浴者３０の背中３０ｂの上部（例えば、図示しない肩甲骨）が側壁部２０ｂに接触するようにもたれかかるとともに、入浴者３０の臀部３０ａが着座部２に接触するように着座することによって、入浴剤収納容器１が浴槽２０の底部２０ａに保持される。このとき、浴槽２０には浴湯２１が貯留されているから、浴槽２０の浴湯２１が開口部４から内部空間５に浸入し、内部空間５において発泡性入浴剤１０が溶解して無数の気泡１１が発生する。そして、内部空間５において発生した気泡１１が後方に開口した開口部４から浴湯２１中において上方に向けて放出される。この結果、開口部４から放出された気泡１１が着座部２に着座した入浴者３０の背中３０ｂに繰り返し衝接する。請求項１の考案によれば、収納部３が着座部２の後部に形成され、収納部３に設けられた開口部４が入浴者３０の背中３０ｂに近接した場所に位置してなるから、開口部４から放出された気泡１１が着座部２に着座した入浴者３０の背中３０ｂに確実に衝接することになり、ジャグジーバスと同じような作用を発揮し、もって、気泡１１のマッサージ効果を確実に発揮することができる。したがって、気泡１１が入浴者３０の背中３０ｂに繰り返し衝接する気泡１１のマッサージ効果によって、血行を促進したり、リラックス感や爽快感を確実に得ることができる。
【００１７】
さらに、請求項１の考案によれば、入浴者３０が着座部２に入浴者３０の臀部３０ａが接触するように着座することによって、入浴剤収納容器１が浴槽２０の底部２０ａに保持されるから、入浴剤収納容器１及び内部空間５に収納された発泡性入浴剤１０が浴湯２１中において上方に向けて浮上することがなくなり、もって、気泡１１のマッサージ効果をより確実に発揮することができる。また、請求項１の考案によれば、内部空間５において発泡性入浴剤１０が溶解して気泡１１が発生するから、発生した気泡１１が内部空間５に滞留して凝集されて大きな気泡１１となり、これにより、気泡１１のマッサージ効果をさらに確実に発揮することができる。
【００１８】
さらにまた、請求項１の考案によれば、着座部２がシリコーンゴムにより形成されるから、シリコーンゴムのゴム弾性や柔軟性によって、入浴者３０が着座部２に着座するときの感触を良好にすることができるとともに、入浴剤収納容器１を浴槽２０の底部に載置するときの滑り止めとして機能させることができる。また、請求項１の考案によれば、着座部２及び収納部３がシリコーンゴムにより一体形成されるから、シリコーンゴムの耐水性や耐熱性によって、入浴剤収納容器１を浴槽２０の底部２０ａの浴湯２１中に長時間にわたって載置することができるとともに、適切な硬さを有するシリコーンゴムを使用することによって、着座部２及び収納部３の形態を保持しながら、着座部２及び収納部３の強度を高く維持することができる。
【００１９】
請求項２の考案によれば、着座部２の表面が平坦面をなしているから、入浴者３０が違和感を感じることなく長時間にわたって着座部２に着座することができる。
【００２０】
請求項３の考案によれば、着座部２の端部が丸められたＲ形状をなしているから、入浴者３０が着座部２に着座して着座部２の端部に接触したときの不快感を防止することができる。
【００２１】
請求項４の考案によれば、収納部３が着座部２の表面よりも上方に突出してなるから、収納部３に内部空間５を設けるスペースを確保することができるとともに、収納部３に設けられた開口部４を上方に位置させることができるから、すなわち、開口部４を入浴者３０の背中３０ｂに近接した場所に位置させることができるから、開口部４から放出された気泡１１を着座部２に着座した入浴者３０の背中３０ｂにより確実に衝接させることができる。
【００２２】
請求項５の考案によれば、収納部３が直方体形状をなしているから、例えば、着座部２及び収納部３を成形加工するときの金型形状が簡素となり、もって、着座部２及び収納部３の形成が容易になる。
【００２３】
請求項６の考案によれば、収納部３の角部が丸められたＲ形状をなしているから、入浴者３０が収納部３に不意に着座して収納部３の角部に接触したときの不快感を防止することができる。
【００２４】
請求項７の考案によれば、開口部４が矩形状をなしているから、開口部４の形成が容易になるとともに、例えば、直方体形状をなしている発泡性入浴剤１０を開口部４から内部空間５に容易に収納することができる。
【００２５】
請求項８の考案によれば、内部空間５が直方体形状をなしているから内部空間５の形成がさらに容易になるとともに、発泡性入浴剤１０を開口部４から内部空間５にさらに容易に収納することができる。
【００２６】
請求項９の考案によれば、着座部２及び収納部３が直圧成形により一体形成されてなるから、着座部２及び収納部３の形成が容易になる。
【００２７】
請求項１０の考案によれば、開口部４の内周側に突出する突出部６をさらに有してなるから、突出部６によって内部空間５に収納された発泡性入浴剤１０の後方移動が規制され、もって、発泡性入浴剤１０が浴湯２１中において上方に向けて浮上することが確実になくなり、これにより、気泡１１のマッサージ効果をさらに確実に発揮することができる。
【図面の簡単な説明】
【００２８】
【図１】本考案の実施形態に係る入浴剤収納容器を例示する前方から見た斜視図である。
【図２】同入浴剤収納容器を例示する後方から見た斜視図である。
【図３】同入浴剤収納容器を例示し、図１に示すＡ−Ａ縦断面図である。
【図４】同入浴剤収納容器を例示し、図１に示すＢ−Ｂ縦断面図である。
【図５】同入浴剤収納容器に発泡性入浴剤を収納する状態を例示する斜視図である。
【図６】同入浴剤収納容器の使用状態を例示する縦断面図である。
【考案を実施するための形態】
【００２９】
以下に、本考案に係る入浴剤収納容器の実施形態について、図面を参照して具体的に説明する。以下に、入浴剤収納容器の一例として、発泡性入浴剤１０を収納する入浴剤収納容器１を例示する。
【００３０】
入浴剤収納容器１は、図１〜図４に示すように、シリコーンゴムにより形成され、入浴者３０（図６参照）が着座可能な着座部２と、着座部２の後部に一体形成され、後方に開口する開口部４から内部空間５に発泡性入浴剤１０（図５及び図６参照）を収納可能な収納部３と、を備えてなる。
【００３１】
着座部２は、図１及び図２に示すように、外形が矩形となるように形成された板状のものであって、外形が前方（図１の手前側）に向かってやや幅広となるように形成されるとともに、外形の隅部が半円形状をなしている。着座部２の周囲を囲う端部は、図１〜図４に示すように、上下方向の両端部が丸められたＲ形状をなしている。着座部２は、図３及び図４に示すように、一定の厚みを有するとともに、着座部２の表面（上面）は、平坦面をなしている。着座部２の表面は、入浴者３０が着座する面であって、図６に示すように、入浴者３０が着座したときに入浴者３０の臀部３０ａが接触する面である。本実施形態では、着座部２の表面が平坦面をなしているから、入浴者３０が違和感を感じることなく長時間にわたって着座部２に着座することができる。さらに、本実施形態では、着座部２の端部が丸められたＲ形状をなしているから、入浴者３０が着座部２に着座して着座部２の端部に接触したときの不快感を防止することができる。
【００３２】
収納部３は、図１〜図４に示すように、着座部２の後部に一体形成され、着座部２の表面よりも上方に突出してなるものである。収納部３は、図２に示すように、後方（図２の手前側）の中央部に開口する開口部４が設けられるように、中央部において上方に突出しており、直方体形状をなしている。収納部３の上端部の角部は、図１及び図２に示すように、それぞれ３方向に丸められたＲ形状をなすとともに、収納部３の下端部の辺部は、それぞれ着座部２の表面と滑らかに連結されるように湾曲した裾野形状をなしている。本実施形態では、収納部３が着座部２の表面よりも上方に突出してなるから、収納部３に内部空間５を設けるスペースを確保することができる。さらに、本実施形態では、収納部３が直方体形状をなしているから、例えば、着座部２及び収納部３を成形加工するときの金型形状が簡素となり、もって、着座部２及び収納部３の形成が容易になる。また、本実施形態では、収納部３の角部が丸められたＲ形状をなしているから、入浴者３０が収納部３に不意に着座して収納部３の角部に接触したときの不快感を防止することができる。
【００３３】
着座部２及び収納部３は、シリコーンゴムにより一体形成されるものであって、直圧成形により一体形成されてなる。詳細には、まず、着座部２及び収納部３の外形形状となるキャビティ（空洞部）を有するように上下に分割された金型を準備し、金型を清掃・洗浄した後、金型を成型プレス機に取り付け、上下の金型を開いた状態で金型の温度が１８０度になるまで予熱する。次に、金型のキャビティに、内部空間５の外形形状となる雄型(入れ子)を挿入するとともに、硬化剤（信越化学工業株式会社製一般モールド用加硫剤：Ｃ−８）が配合されたミラブル型シリコーンゴム（信越化学工業株式会社製高耐熱シリコーンゴムパウンド：ＫＥ−９５１−Ｕ、硬さ：Ａ５０）を装填する。次に、上下の金型を閉じて、成型プレス機のプレスによって３０分間加圧し、シリコーンゴムを硬化させる。次に、金型を成型プレス機から取り外し、上下の金型を開いて硬化したシリコーンゴムを離型する。次に、シリコーンゴムを冷却した後、シリコーンゴムから雄型を取り外すとともに、切削加工することによってシリコーンゴムからバリを除去する。そして、シリコーンゴムを２次加硫（高温加熱処理）することによって、着座部２及び収納部３が一体成形される。シリコーンゴムは、一般に、常温においてゴム弾性や柔軟性を有するエラストマーであって、対候性や耐水性や耐熱性に優れるものである。シリコーンゴムは、シリコーンポリマーに添加する有機過酸化物や触媒等の加硫剤の種類や添加量を適宜調整することによって、適切な硬さにすることができる。適切な硬さとは、例えば、ＪＩＳ（日本工業規格）  Ｋ６２５３−３（加硫ゴム及び熱可塑性ゴム−硬さの求め方−第３部：デュロメータ硬さ）に準拠して測定された硬さが、Ａ４０〜Ａ６０（一般硬さ）である。本実施形態のシリコーンゴムの硬さは、例えば、Ａ５０である。また、本実施形態のシリコーンゴムの色調は、例えば、乳白色（半透明色）である。なお、シリコーンゴムの色調は、これに限定されるものではなく、ミラブル型シリコーンゴムに所望する色調を呈する着色剤を添加することによって、任意の色調とすることができる。本実施形態によれば、着座部２がシリコーンゴムにより形成されるから、シリコーンゴムのゴム弾性や柔軟性によって、入浴者３０が着座部２に着座するときの感触を良好にすることができるとともに、入浴剤収納容器１を浴槽２０の底部２０ａに載置するときの滑り止めとして機能させることができる。また、本実施形態によれば、着座部２及び収納部３がシリコーンゴムにより一体形成されるから、シリコーンゴムの耐水性や耐熱性によって、入浴剤収納容器１を浴槽２０の底部２０ａの浴湯２１中に長時間にわたって載置することができるとともに、適切な硬さを有するシリコーンゴムが使用されるから、着座部２及び収納部３の形態を保持しながら、着座部２及び収納部３の強度を高く維持することができる。
【００３４】
開口部４は、図２〜図４に示すように、収納部３の後方に開口してなるものであって、図５及び図６に示すように、発泡性入浴剤１０を内部空間５に収納する入口としての機能と、内部空間５において発泡性入浴剤１０が溶解して発生した気泡１１を浴湯２１中に放出する出口としての機能と、を有してなる。開口部４は、矩形状をなしており、収納部３は、矩形状の開口部４を形成する箱枠形状をなしている。収納部３は、図３及び図４に示すように、箱枠部分の厚みが着座部２の厚みと同一となる一定の厚みを有している。また、発泡性入浴剤１０は、図５に示すように、直方体形状をなしている。本実施形態では、開口部４が矩形状をなしているから、開口部４の形成が容易になるとともに、直方体形状をなしている発泡性入浴剤１０を開口部４から内部空間５に容易に収納することができる。
【００３５】
内部空間５は、図２〜図４に示すように、収納部３の内部に設けられ、収納部３の後方に開口する開口部４に連通する空間であって、図５及び図６に示すように、発泡性入浴剤１０を収納する空間である。内部空間５は、図３及び図４に示すように、直方体形状をなしている。本実施形態では、内部空間５が直方体形状をなしているから、内部空間５の形成がさらに容易になるとともに、発泡性入浴剤１０を開口部４から内部空間５にさらに容易に収納することができる。
【００３６】
また、入浴剤収納容器１は、図２及び図４に示すように、開口部４の内周側に突出する突出部６をさらに有してなる。突出部６は、図２に示すように、開口部４の上側部分及び左右側部分の辺部から、それぞれ後方から見て矩形状に突出するように形成される。突出部６は、図４に示すように、開口部４が設けられる収納部３の箱枠部分の端部からそれぞれ内側に一体的に延びるように形成され、内部空間５に対向する面の縦断面がそれぞれ円弧状に湾曲するように形成される。突出部６は、例えば、シリコーンゴムからバリを除去するときにおいて、開口部４の内周側に膨出するシリコーンゴムの膨出部分を切削加工してなる部分であって、前後方向に揺動自在に設けられる。このため、開口部４から内部空間５に発泡性入浴剤１０を収納するとき、発泡性入浴剤１０が突出部６に接触しても、突出部６が前方に揺動するから、発泡性入浴剤１０を内部空間５に収納することができる。逆に、内部空間５から発泡性入浴剤１０を取り出すとき、発泡性入浴剤１０が突出部６に接触しても、突出部６が後方に揺動するから、発泡性入浴剤１０を内部空間５から取り出すことができる。本実施形態では、開口部４の内周側に突出する突出部６をさらに有してなるから、突出部６によって内部空間５に収納された発泡性入浴剤１０の後方移動が規制され、もって、発泡性入浴剤１０が浴湯２１中において上方に向けて浮上することが確実になくなり、これにより、気泡１１のマッサージ効果をさらに確実に発揮することができる。
【００３７】
なお、入浴剤収納容器１は、一例として、着座部２の前後長さが２３０ｍｍ、着座部２の幅が１３０ｍｍ〜１６０ｍｍ、着座部２の厚みが１０ｍｍ、収納部３の前後長さが７２ｍｍ、収納部３の幅が８４ｍｍ、収納部３の高さが３７ｍｍ、収納部３の箱枠部分の厚みが１０ｍｍ、開口部４の幅が６０ｍｍ、開口部４の高さが２５ｍｍ、内部空間５の前後長さが６０ｍｍ、内部空間５の幅が６０ｍｍ、内部空間５の高さが２５ｍｍ、となるように形成される。ただし、入浴剤収納容器１の各寸法は、上記したものに限定されるものではなく、任意の寸法に設定することができる。
【００３８】
発泡性入浴剤１０は、図５に示すように、錠剤等の固形剤からなるものであって、上記したように、直方体形状（板形状）をなしている。発泡性入浴剤１０は、図示しない包装フィルムにより個別包装されたものであって、使用時において包装フィルムを開封して発泡性入浴剤１０を取り出し、取り出した発泡性入浴剤１０を開口部４から内部空間５に収納するものである。発泡性入浴剤１０は、炭酸ナトリウム、炭酸水素ナトリウム等の無機塩類に、香料、色素、保湿剤、植物エキス等を配合し、さらに、コハク酸、フマル酸、クエン酸、マレイン酸等の有機酸類を配合することによって、浴湯２１中で溶解して気泡１１が発生するものである。発泡性入浴剤１０は、例えば、炭酸ナトリウム、炭酸水素ナトリウムに、柚子の芳香となる香料、柚子の色調となる色素（例えば、黄色４号）、保湿剤、植物エキスを配合し、さらに、フマル酸を配合したものである。発泡性入浴剤１０は、浴湯２１中で溶解されると、浴湯２１に柚子の芳香や柚子の色調（例えば、黄色）を付与するとともに、フマル酸と炭酸水素ナトリウムとが化学反応してフマル酸ナトリウム、水及び二酸化炭素（炭酸ガス）が生成されることによって、炭酸ガスの気泡１１が発生するものである。なお、発泡性入浴剤１０は、上記の成分が配合されるものに限定されるものではなく、例えば、炭酸カルシウム等の温泉成分を配合してもよい。また、発泡性入浴剤１０は、一例として、長さが５７ｍｍ、幅が５７ｍｍ、厚みが２０ｍｍとなるように形成されたものであって、気泡１１の発泡時間は、例えば、５分間である。なお、発泡性入浴剤１０の大きさは、これに限定されるものではなく、開口部４から内部空間５に収納できる大きさであれば、市販されているあらゆる大きさの発泡性入浴剤１０を使用することができる。特に、小型の発泡性入浴剤１０を使用する場合には、図示しないが、発泡性入浴剤１０の包装フィルムの一部を切り裂いた状態とし、一部が切り裂かれた包装フィルムによって包装された状態の発泡性入浴剤１０を開口部４から内部空間５に収納することによって、気泡１１の発泡時間を長くすることができる。小型の発泡性入浴剤１０は、一例として、長さが４８ｍｍ、幅が４８ｍｍ、厚みが１８ｍｍとなるように形成されたものであって、発泡性入浴剤１０の包装フィルムの一部を、例えば、３０ｍｍの長さとなるように切り裂いた状態とすれば、気泡１１の発泡時間は、例えば、８分間〜１２分間である。
【００３９】
浴槽２０は、図６に示すように、浴湯２１が供給されて貯留される有底筐状のものであって、矩形状の底部２０ａと、底部２０ａの辺部からそれぞれ上方に延びる側壁部２０ｂと、を有してなる。浴槽２０は、例えば、ＦＲＰ（ガラス繊維強化樹脂）、人工大理石（アクリル樹脂、ポリエステル樹脂）等の合成樹脂や、ホーロー（エナメル）、ステンレス合金等の金属により一体形成されるものである。浴湯２１は、浴槽２０の上部まで貯留されており、入浴者３０は、浴槽２０に入槽し、入浴者３０の体を浴湯２１中に浸漬することによって、入浴する。
【００４０】
以下に、本実施形態の入浴剤収納容器１の使用方法について説明する。
【００４１】
まず、図６に示すように、浴槽２０に浴湯２１を供給して貯留する。次に、図５に示すように、収納部３に設けられた開口部４から内部空間５に発泡性入浴剤１０を収納する。次に、図６に示すように、入浴者３０は、入浴剤収納容器１を把持しながら浴槽２０に入槽し、入浴者３０の背中３０ｂの上部（例えば、図示しない肩甲骨）が側壁部２０ｂに接触するようにもたれかかるとともに、入浴者３０の臀部３０ａが着座部２に接触するように着座することによって、入浴剤収納容器１が浴槽２０の底部２０ａに保持される。このとき、浴槽２０には浴湯２１が貯留されているから、浴槽２０の浴湯２１が開口部４から内部空間５に浸入し、内部空間５において発泡性入浴剤１０が溶解して無数の気泡１１が発生する。そして、内部空間５において発生した気泡１１が後方に開口した開口部４から浴湯２１中において上方に向けて放出される。この結果、開口部４から放出された気泡１１が着座部２に着座した入浴者３０の背中３０ｂに繰り返し衝接することになるから、ジャグジーバスと同じような作用を発揮し、もって、気泡１１のマッサージ効果を発揮することができる。
【００４２】
しかして、本実施形態によれば、入浴剤収納容器１は、入浴者３０が着座可能な着座部２と、後方に開口する開口部４から内部空間５に発泡性入浴剤１０を収納可能な収納部３と、を備えてなるから、すなわち、収納部３が着座部２の後部に形成され、収納部３に設けられた開口部４が入浴者３０の背中３０ｂに近接した場所に位置してなるから、開口部４から放出された気泡１１が着座部２に着座した入浴者３０の背中３０ｂに確実に衝接することになり、もって、気泡１１のマッサージ効果を確実に発揮することができる。したがって、気泡１１が入浴者３０の背中３０ｂに繰り返し衝接する気泡１１のマッサージ効果によって、血行を促進したり、リラックス感や爽快感を確実に得ることができる。
【００４３】
さらに、本実施形態によれば、収納部３が着座部２の表面よりも上方に突出してなるから、収納部３に設けられた開口部４を上方に位置させることができる。したがって、開口部４を入浴者３０の背中３０ｂに近接した場所に位置させることができるから、開口部４から放出された気泡１１を着座部２に着座した入浴者３０の背中３０ｂにより確実に衝接させることができ、これにより、気泡１１のマッサージ効果をさらに確実に発揮することができる。
【００４４】
さらにまた、本実施形態によれば、入浴者３０が着座部２に入浴者３０の臀部３０ａが接触するように着座することによって、入浴剤収納容器１が浴槽２０の底部２０ａに保持されるから、入浴剤収納容器１及び内部空間５に収納された発泡性入浴剤１０が浴湯２１中において上方に向けて浮上することがなくなり、もって、気泡１１のマッサージ効果をより確実に発揮することができる。また、本実施形態によれば、内部空間５において発泡性入浴剤１０が溶解して気泡１１が発生するから、発生した気泡１１が内部空間５に滞留して凝集されて大きな気泡１１となり、これにより、気泡１１のマッサージ効果をさらに確実に発揮することができる。
【符号の説明】
【００４５】
１      入浴剤収納容器
２      着座部
３      収納部
４      開口部
５      内部空間
６      突出部
１０    発泡性入浴剤
１１    気泡
２０    浴槽
２０ａ  底部
２０ｂ  側壁部
２１    浴湯
３０    入浴者
３０ａ  臀部
３０ｂ  背中
【図１】
0003202565.tif 000003
【図２】
0003202565.tif 000004
【図３】
0003202565.tif 000005
【図４】
0003202565.tif 000006
【図５】
0003202565.tif 000007
【図６】
0003202565.tif 000008